(57)【要約】【課題】容器が倒れても液体がこぼれ出ることがなく、かつ使用時には液体の吐出量を任意に調節可能な構造簡易な液体注出蓋を提供する。【解決手段】液体注出蓋１は、蓋本体２と中栓体３とを具備する。蓋本体２は、容器３１の開口部３２を閉塞する天板部４と、容器３１の口頸部３３に気密に嵌合する嵌合部５とを具備する。天板部４には、容器３１を傾倒させたとき容器３１内の液体を注出する注出路７と、容器３１内を大気に通じる通気路８と、上方からの押し・離し操作により上下方向に弾性的に撓む押圧部９とが形成される。中栓体３は、押圧部９の撓みに伴って、上位の閉栓位置と下位の開栓位置との間を移動し、閉栓位置において注出路７及び通気路８を閉鎖して液体の注出を阻止し、開栓位置において注出路７及び通気路８を開いて液体の注出を許容する。【選択図】図２
0003197054.tif 000002
【実用新案登録請求の範囲】
【請求項１】
液体を収容する容器の開口部を覆うように容器に着脱自在に装着される蓋本体と、この蓋本体の下部に取り付けられる中栓体とを具備し、
前記蓋本体は、前記容器の開口部を閉塞する天板部と、容器の口頸部に気密に嵌合する嵌合部と、容器を傾倒させたとき容器内の液体を注出するように天板部に形成された注出路と、容器内を大気に通じるように天板部に形成された通気路と、上方からの押し・離し操作により上下方向に弾性的に撓むように天板部の上部に形成された押圧部とを具備し、
前記中栓体は、前記蓋本体の前記押圧部の撓みに伴って上位の閉栓位置と下位の開栓位置との間を移動するように押圧部の下面に取り付けられ、閉栓位置において蓋本体の前記注出路及び前記通気路を閉鎖し、開栓位置において蓋本体の注出路及び通気路を開くことを特徴とする液体注出蓋。
【請求項２】
前記蓋本体は、弾性樹脂で一体成形され、
前記押圧部は、他の部位より薄肉の可撓部に包囲され、
前記注出路と前記通気路は、前記容器の開口に面する内端が前記天板部の下面に開口し、
前記中栓体は、閉栓位置において前記天板部の下面に気密に当接することによって前記注出路と前記通気路の内端開口を閉じ、開栓位置において天板部の下面から下方へ離隔することによって注出路と通気路の内端開口を開くように、天板部の下面に沿って延出する弁部を具備することを特徴とする請求項１に記載の液体注出蓋。
【請求項３】
前記天板部は、前記可撓部の内側に沿って下方へ延出する嵌合凸部を具備し、
前記中栓体は、前記嵌合凸部に弾性的に嵌合する嵌合筒部を具備し、
前記中栓体の前記弁部は、前記嵌合筒部の下縁部から外側へ延出することを特徴とする請求項１に記載の液体注出蓋。
【請求項４】
前記天板部は、周縁部の下面が前記容器の口頸部の上面に当接し、
前記嵌合部は、前記天板部の下面から延出して前記容器の口頸部の内周に気密に嵌合する筒状に形成され、
前記注出路の外端は、前記天板部の周縁部の外側面に開口し、注出路の内端は前記嵌合部の内側に位置する前記天板部の下面に開口し、
前記通気路の外端は、前記天板部の周縁部の、前記注出路の外端開口と反対側の外側面に開口し、通気路の内端は前記嵌合部の内側に位置する前記天板部の、前記注出路の内端開口と反対側の下面に開口し、
前記中栓体の前記弁部は、閉栓位置において前記注出路の内端開口に気密に嵌合し開栓位置において注出路の内端開口から離脱するように上向きに突出した第１の閉止突起と、閉栓位置において前記通気路の内端開口に気密に嵌合し開栓位置において通気路の内端開口から離脱するように上向きに突出した第２の閉止突起とを具備することを特徴とする請求項３に記載の液体注出蓋。
【考案の詳細な説明】
【技術分野】
【０００１】
本考案は、調味料等の液体を収容する容器の口頸部に装着され、容器を傾倒させた上で、注出操作を行うことで、容器内の液体を注ぎ出す液体注出蓋に関する。
【背景技術】
【０００２】
従来、容器本体が倒れても注出口から液体がこぼれ出ることを防止可能で、かつ、注出口からの液体の吐出量を適量に調節可能な注出蓋として、特開２０１２−１５８３５６号公報（特許文献１）に記載されたものが知られている。
この注出蓋は、容器本体へ嵌合させた注出口付きの注出体と、容器本体の上部内から起立して、上端部を注出口より下方の注出体部分内面へ水密に接触させた注出筒とを備え、注出体の上面を閉塞する押圧体の周縁部を弾性変形可能な弾性変形部に形成すると共に、押圧体の中央部からシール筒を垂下して注出筒の内面へ水密に嵌合させて容器本体と注出口との連通を遮断可能に設け、シール筒の外面ないし注出筒内面に突部を設け、押圧体の押圧で、シール筒が下降して注出筒の内面へ突部を介して嵌合することにより、シール筒の外面と注出筒の内面との間に容器本体内と注出口とを連通させる流路を形成可能に設けたものである。
【先行技術文献】
【特許文献】
【０００３】
【特許文献１】特開２０１２−１５８３５６号公報
【考案の概要】
【考案が解決しようとする課題】
【０００４】
本考案は、調味料等の液体を収容する容器の口頸部に装着され、容器を傾倒させた上で、注出操作を行うことで、容器内の液体を注ぎ出す液体注出蓋であって、容器が倒れても注出口から液体がこぼれ出ず、かつ注出口からの液体の吐出量を任意に調節可能な構造簡易なものを提供することを目的としている。
【課題を解決するための手段】
【０００５】
以下、添付図面の符号を参照して説明するが、本考案はこれに限定されるものではない。
上記課題を解決するための、本考案の液体注出蓋１は、蓋本体２と中栓体３とを具備する。蓋本体２は、液体を収容する容器３１の開口部３２を閉塞する天板部４と、容器３１の口頸部３３に気密に嵌合する嵌合部５とを具備する。天板部４には、容器３１を傾倒させたとき容器３１内の液体を注出する注出路７と、容器３１内を大気に通じる通気路８と、上方からの押し・離し操作により上下方向に弾性的に撓む押圧部９とが形成される。中栓体３は、蓋本体１の押圧部９の撓みに伴って、上位の閉栓位置と下位の開栓位置との間を移動するように押圧部９の下面に取り付けられる。中栓体３は、閉栓位置において蓋本体２の注出路７及び通気路８を閉鎖して液体の注出を阻止し、開栓位置において蓋本体２の注出路７及び通気路８を開いて液体の注出を許容する。
【考案の効果】
【０００６】
本考案の液体注出蓋１は、容器３１が倒れても注出開口７ｂから液体がこぼれ出ることがなく、かつ使用時には、開口７ｂからの液体の吐出量を任意に調節可能な構造簡易なものを提供する。
【図面の簡単な説明】
【０００７】
【図１】本考案に係る液体注出蓋と容器の分解斜視図である。
【図２】本考案に係る液体注出蓋を装着した容器の一部の断面図であり、閉栓状態を示す。
【図３】本考案に係る液体注出蓋を装着した容器の一部の断面図であり、開栓状態を示す。
【図４】図１の液体注出蓋の底面図である。
【図５】図１の液体注出蓋における蓋本体の平面図である。
【図６】図１の液体注出蓋における蓋本体の底面図である。
【図７】図１の液体注出蓋における蓋本体の一部を切欠した正面図である。
【図８】図１の液体注出蓋における中栓体の平面図である。
【考案を実施するための形態】
【０００８】
図面を参照して本考案の実施の形態を説明する。
液体注出蓋１は、シリコーン樹脂のようなゴム状弾性樹脂で一体成形された蓋本体２と硬質の合成樹脂で一体成形された中栓体３とを具備する。
蓋本体２は、液体を収容する容器３１の開口部３２を閉塞する天板部４と、容器３１の口頸部３３に気密に嵌合する嵌合部５とを具備する。天板部４は、肉厚で、周縁部の下面６が容器３１の口頸部３３の上面に当接する。嵌合部５は、円筒状で、天板部４の下面６から下方へ延出して容器３１の口頸部３３の内周に気密に、着脱自在に嵌合する。
【０００９】
天板部４には、容器３１を傾倒させたとき、容器３１内の液体を注出する注出路７と、容器３１内を大気に通じる通気路８と、上方からの押し・離し操作により上下方向に弾性的に撓む押圧部９とが形成される。
【００１０】
注出路７の内端は、容器３１の開口３２内に位置して天板部４の下面６に開口７ａし、外端は、天板部４の外側面に開口７ｂする。通気路８の内端は、容器３１の開口３２内に位置して天板部４の下面６に開口８ａし、外端は、天板部４の、開口７ｂと反対側の外側面に開口８ｂする。
【００１１】
押圧部９は、天板部４の上部中央付近に設けられ、他の部位より薄肉の円環状の可撓部１０に包囲される。薄肉の可撓部１０は、天板部４の下面から上方へ向かって上面近くまで切り込まれた概略長円環状の凹部１１の頂部と上面との間に形成される。凹部１１の内側には、押圧部９に上端が接続する嵌合凸部１２が下方へ延出するように形成される。
【００１２】
中栓体３は、蓋本体１の押圧部９の撓みに伴って、上位の閉栓位置（図２）と下位の開栓位置（図３）との間を移動するように押圧部９の下面に取り付けられる。中栓体３は、嵌合筒部１３と、一対の弁部１４，１５とを具備する。嵌合筒部１３は、蓋本体１の環状の凹部１１に緩く挿入され、その内側に形成される嵌合凸部１２に固く外嵌される。一対の弁部１４，１５は、嵌合筒部１３の下端から天板部４の下面６に沿うように、半径方向に互いに反対方向へ延出する。
【００１３】
弁部１４，１５は、図２の閉栓位置において、天板部４の下面６に気密に当接することによって、それぞれ注出路７と通気路８の内端開口７ａ，８ａを閉じ、図３の開栓位置において天板部４の下面６から下方へ離隔することによって、その開口７ａ，８ａを開く。弁部１４，１５の上面には、閉栓位置において開口７ａ，８ａに気密に嵌合してこれを閉塞する第１，第２の閉止突起１４ａ，１５ａが形成される。
【００１４】
容器３１に収容された調味料等の液体を注出開口７ｂから抽出する場合には、容器３１を傾けながら押圧部９を指で押し下げる。押圧部９の押し下げにより、中栓体３が開栓位置へ下がり、弁部１４，１５が天板部４の下面６から下方へ離隔することによって、開口７ａ，８ａが開き、液体が注出される。押圧部９から指を離せば、押圧部９と共に中栓体３が閉栓位置に戻り、液体の注出は停止する。押し下げる。不用意に容器３１が転倒しても、中栓体３が閉栓位置にあるので、容器内の液体が漏れ出すことはない。
【符号の説明】
【００１５】
１      液体注出蓋
２      蓋本体
３      中栓体
４      天板部
５      嵌合部
６      蓋本体の下面
７      注出路
８      通気路
９      押圧部
１０    可撓部
１１    凹部
１２    嵌合凸部
１３    嵌合筒部
１４    第１の弁部
１４ａ  閉止突起
１５    第２の弁部
１５ａ  閉止突起
３１    容器
３２    開口
３３    口頸部
【図１】
0003197054.tif 000003
【図２】
0003197054.tif 000004
【図３】
0003197054.tif 000005
【図４】
0003197054.tif 000006
【図５】
0003197054.tif 000007
【図６】
0003197054.tif 000008
【図７】
0003197054.tif 000009
【図８】
0003197054.tif 000010